【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
表示装置に表示すべき画像の色成分の現在のピクセルのビデオレベルを、少なくとも第１の符号セット（Ｓ１）および／または第２の符号セット（Ｓ２）に属する符号語に符号化する方法であって、前記第２の符号セット（Ｓ２）は前記第１の符号セット（Ｓ１）のサブセットであり、前記第２の符号セットの前記符号語は、低ビデオレベルレンジにおける低レベル符号語の第１の所定の数までおよび／または高ビデオレベルレンジにおける高レベル符号語の第２の所定の数からを例外として、対応するサブフィールド符号語の光生成の時間的重心（ＣＧ１、ＣＧ２、ＣＧ３）が前記符号語のビデオレベルに伴って連続的に増加する規則に従って、前記第１の符号セットの前記符号語の中から選択され、前記方法は、
前記現在のピクセル（ｘｐ）を含む窓に属する所定の数（Ｌ１）の隣接するピクセルに対して、前記第１の符号セット（Ｓ１）の符号語によって符号化することができる少なくとも第１のフロアレベル（Ｆ１）および第１のシーリングレベル（Ｃ１）、および前記第２の符号セット（Ｓ２）の符号語によって符号化することができる第２のフロアレベル（Ｆ２）および第２のシーリングレベル（Ｃ２）を決定するステップであって、前記第１のフロアレベルおよび前記第２のフロアレベル（Ｆ１、Ｆ２）は、それぞれ、前記現在のピクセルの前記ビデオレベル（ｌ）に等しいか、あるいはそれより低い前記第１の符号セットおよび前記第２の符号セット（Ｓ１、Ｓ２）の前記符号語に対応する前記ビデオレベルのうちの最も高いビデオレベルであり、また、前記第１のシーリングレベルおよび前記第２のシーリングレベル（Ｃ１、Ｃ２）は、それぞれ、前記現在のピクセルの前記ビデオレベル（ｌ）に等しいか、あるいはそれより高い前記第１の符号セットおよび前記第２の符号セット（Ｓ１、Ｓ２）の前記符号語に対応する前記ビデオレベルのうちの最も低いビデオレベルであるステップと、
前記現在のピクセル（ｘｐ）に対して、前記現在のピクセルの第１のフロアレベル（Ｆ１（ｘｐ））と、前記現在のピクセル（ｘｐ）を含む前記窓の前記所定の数（Ｌ１）の隣接するピクセルのシーリングレベル（ｃ１［ｘｐ−Ｌ１／２、ｘｐ＋Ｌ１／２］）との間の最小レベルを決定し、および、前記現在のピクセル（ｘｐ）に対して、前記現在のピクセルの前記第１のシーリングレベル（Ｃ１（ｘｐ））と、前記所定の数（Ｌ１）の隣接するピクセルのフロアレベル（ｆ１［ｘｐ−Ｌ１／２、ｘｐ＋Ｌ１／２］）との間の最大レベルを決定するステップであって、前記最小レベルは、前記現在のピクセル（ｘｐ）のフロアレベル（Ｆ（ｘｐ））と呼ばれ、および、前記最大レベルは、前記現在のピクセル（ｘｐ）のシーリングレベル（Ｃ（ｘｐ））と呼ばれるステップと、
前記現在のピクセル（ｘｐ）に対して、前記フロアレベル（Ｆ（ｘｐ））が前記第２のフロアレベル（Ｆ２（ｘｐ））より低い場合、前記フロアレベル（Ｆ（ｘｐ））を第２のフロアレベル（Ｆ２（ｘｐ））に置き換え、および、前記シーリングレベル（Ｃ（ｘｐ））が前記第２のシーリングレベル（Ｃ２（ｘｐ））より高い場合、前記シーリングレベル（Ｃ（ｘｐ））を第２のシーリングレベル（Ｃ２（ｘｐ））に置き換えるステップと、
前記現在のピクセルに対して、前記フロアレベル（Ｆ（ｘｐ））の前記符号語および前記シーリングレベル（Ｃ（ｘｐ））の前記符号語の中から、前記現在のピクセルの前記ビデオレベルの符号化に対するディザリングに従って、前記符号語を選択するステップと
を備えることを特徴とする方法。
【請求項２】
前記現在のピクセルに対して、前記選択された符号語をサブフィールド符号語に符号化するステップをさらに備え、前記サブフィールド符号語の個々のビットに対して、サブフィールドと呼ばれる特定の持続期間が割り当てられ、前記サブフィールドの間、ピクセルを起動して光を生成することができることを特徴とする請求項１に記載の方法。
【請求項３】
前記フロアレベル（Ｆ（ｘ））の前記符号語および前記シーリングレベル（Ｃ（ｘｐ））の前記符号語の中から、前記現在のピクセルの前記符号語をディザリングに従って選択する前記ステップは、
ｌ（ｘ）＝α・Ｃ（ｘｐ）＋（１−α）・Ｆ（ｘｐ）になるように係数αを計算するステップであって、
ｌ（ｘ）が現在のピクセルｘのビデオレベルであり、
Ｃ（ｘｐ）が前記現在のピクセルの前記シーリングレベルであり、
Ｆ（ｘｐ）が前記現在のピクセルの前記フロアレベルである
ステップと、
０≦Ｎｒｎｄ≦１になるように乱数Ｎｒｎｄを生成するステップと、
前記係数αがＮｒｎｄより大きいか、あるいはＮｒｎｄに等しい場合、前記シーリングレベル（Ｃ（ｘｐ））を選択し、また、前記係数αが乱数Ｎｒｎｄより小さい場合、前記フロアレベル（Ｆ（ｘｐ））を選択するステップと
を含むことを特徴とする請求項１または２に記載の方法。
【請求項４】
表示装置に表示すべき画像の色成分の現在のピクセルのビデオレベルを、少なくとも第１の符号セット（Ｓ１）および／または第２の符号セット（Ｓ２）に属する符号語に符号化する装置であって、前記第２の符号セット（Ｓ２）は前記第１の符号セット（Ｓ１）のサブセットであり、前記第２の符号セットの前記符号語は、低ビデオレベルレンジにおける低レベル符号語の第１の所定の数までおよび／または高ビデオレベルレンジにおける高レベル符号語の第２の所定の数からを例外として、対応するサブフィールド符号語の光生成の時間的重心（ＣＧ１、ＣＧ２、ＣＧ３）が前記符号語のビデオレベルに伴って連続的に増加長する規則に従って、前記第１の符号セットの前記符号語の中から選択され、
前記現在のピクセル（ｘｐ）を含む窓に属する所定の数（Ｌ１）の隣接するピクセルに対して、前記第１の符号セット（Ｓ１）の符号語によって符号化される少なくとも第１のフロアレベル（Ｆ１）および第１のシーリングレベル（Ｃ１）、および前記第２の符号セット（Ｓ２）の符号語によって符号化される第２のフロアレベル（Ｆ２）および第２のシーリングレベル（Ｃ２）を決定する手段であって、前記第１のフロアレベルおよび前記第２のフロアレベル（Ｆ１、Ｆ２）は、それぞれ、前記現在のピクセルの前記ビデオレベル（ｌ）に等しいか、あるいはそれより低い前記第１の符号セットおよび前記第２の符号セット（Ｓ１、Ｓ２）の前記符号語に対応する前記ビデオレベルのうちの最も高いビデオレベルであり、また、前記第１のシーリングレベルおよび前記第２のシーリングレベル（Ｃ１、Ｃ２）は、それぞれ、前記現在のピクセルの前記ビデオレベル（ｌ）に等しいか、あるいはそれより高い前記第１の符号セットおよび前記第２の符号セット（Ｓ１、Ｓ２）の前記符号語に対応する前記ビデオレベルのうちの最も低いビデオレベルである決定する手段と、
前記現在のピクセル（ｘｐ）に対して、前記現在のピクセルの第１のフロアレベル（Ｆ１（ｘｐ））と、前記現在のピクセル（ｘｐ）を含む前記窓の前記所定の数（Ｌ１）の隣接するピクセルのシーリングレベル（ｃ１［ｘｐ−Ｌ１／２、ｘｐ＋Ｌ１／２］）との間の最小レベルを決定し、および前記現在のピクセル（ｘｐ）に対して、前記現在のピクセルの前記第１のシーリングレベル（Ｃ１（ｘｐ））と、前記所定の数（Ｌ１）の隣接するピクセルのフロアレベル（ｆ１［ｘｐ−Ｌ１／２、ｘｐ＋Ｌ１／２］）との間の最大レベルを決定する手段であって、前記最小レベルは、前記現在のピクセル（ｘｐ）のフロアレベル（Ｆ（ｘｐ））と呼ばれ、また、前記最大レベルは、前記現在のピクセル（ｘｐ）のシーリングレベル（Ｃ（ｘｐ））と呼ばれる決定する手段と、
前記現在のピクセル（ｘｐ）に対して、現在のフロアレベル（Ｆ（ｘｐ））が前記第２のフロアレベル（Ｆ２（ｘｐ）より低い場合、前記フロアレベル（Ｆ（ｘｐ））を第２のフロアレベル（Ｆ２（ｘｐ））に置き換え、および、前記シーリングレベル（Ｃ（ｘｐ））が前記第２のシーリングレベル（Ｃ２（ｘｐ）））より高い場合、前記シーリングレベル（Ｃ（ｘｐ））を第２のシーリングレベル（Ｃ２（ｘｐ））に置き換える手段と、
前記現在のピクセルに対して、前記フロアレベル（Ｆ（ｘｐ））の前記符号語および前記シーリングレベル（Ｃ（ｘｐ））の前記符号語の中から、前記現在のピクセルの前記ビデオレベルの符号化に対するディザリングに従って、前記符号語を選択するディザリング手段と
を備えたことを特徴とする装置。
【請求項５】
前記現在のピクセルに対して、前記選択された符号語をサブフィールド符号語に符号化するサブフィールド符号化手段をさらに備え、前記サブフィールド符号語の個々のビットに対して、サブフィールドと呼ばれる特定の持続期間が割り当てられ、前記サブフィールドの間、ピクセルを起動して光を生成することができることを特徴とする請求項４に記載の装置。
【請求項６】
前記ディザリング手段は、
ｌ（ｘ）＝α・ｃ（ｘ）＋（１−α）・ｆ（ｘ）になるように係数αを計算する手段であって、
ｌ（ｘ）が現在のピクセルｘのビデオレベルであり、
ｃ（ｘ）が前記現在のピクセルの新しいシーリングレベルであり、
ｆ（ｘ）が前記現在のピクセルの新しいフロアレベルである
計算する手段と、
０≦Ｎｒｎｄ≦１になるように乱数Ｎｒｎｄを生成する手段と、
前記係数αがＮｒｎｄより大きいかもしくはＮｒｎｄに等しい場合、前記シーリングレベル（Ｃ（ｘ））を選択し、および、前記係数αが乱数Ｎｒｎｄより小さい場合、前記フロアレベル（Ｆ（ｘ））を選択する手段と
を含むことを特徴とする請求項４または５に記載の装置。